(57)【要約】      （修正有）【課題】特に、魚や海老などの水産生物の幼体を飼育する養殖装置を提供する。【解決手段】本考案に係る養殖装置は、フレーム１０と、少なくとも１つの飼育タンク２０と、上下駆動装置３０と、網部材４０を有し、該フレームに作業空間２１が形成され、該飼育タンクは、フレームの作業空間に設置され、その内部に飼育空間が形成され、その底部に飼育空間と連通する排出パイプが取り付けられ、該排出パイプに排出弁が取り付けられ、該上下駆動装置は、フレームに設置され、該網部材は、上下駆動装置の制御により、フレームの作業空間に設置され、その外径は、飼育タンクの内径よりも小さく、選択可能に飼育タンクの飼育空間内に配置され、この構成を有すれば、飼育タンクを用いることにより、上下駆動装置で網部材を下降または上昇させ、幼体を暫く持ち上げることにより、飼育タンクの内部を清掃することができることから、魚やエビなどの水生生物の幼体を清潔かつ安全な成育環境で育てることができる。【選択図】図１
0003211347.tif 000002
【実用新案登録請求の範囲】
【請求項１】
作業空間を備えるフレームと、
前記フレームの作業空間に設置され、その内部に飼育空間が形成され、その底部に飼育空間と連通する排出パイプが取り付けられ、該排出パイプに排出弁が取り付けられる、少なくとも１つの飼育タンクと、
前記フレームに設置される上下駆動装置と、
前記上下駆動装置の制御により、前記フレームの作業空間に設置され、その外径は、飼育タンクの内径よりも小さく、選択可能に飼育タンクの飼育空間内に配置される、網部材と、を有することを特徴とする、
養殖装置。
【請求項２】
前記フレームは、２つの逆Ｕ字形のスタンド及び複数の連接棒を備え、該２つのスタンドは間隔をおいて設置され、その間に前記作業空間が形成され、該複数の連接棒はそれぞれ間隔をおいて２つのスタンドの間に連接されることを特徴とする請求項１に記載の養殖装置。
【請求項３】
前記上下駆動装置は、ワイヤロープを巻き取るためのウインチ付きのモータと、滑車組みと、ワイヤロープと、吊り枠を備え、該モータは、フレームの一側に設置され、該滑車組みは、少なくとも１つの滑車を備え、該滑車は、フレームの連接棒に取り付けられ、該ワイヤロープは、一端がモータのウインチに巻回され、他端が滑車に巻回されてフレームの中央にある連接棒の下方に固定され、該吊り枠にワイヤロープの他端が掛止され、前記網部材が吊り枠の底部に張設されることを特徴とする請求項２に記載の養殖装置。
【請求項４】
前記吊り枠は、枠部及び２つのアームを備え、該２つのアームは、枠部の両側に枢設され、該各アームの底端にフックが設けられ、前記網部材における、フックと対応する箇所にそれぞれ、フックが掛合される掛けリングが設けられることを特徴とする請求項３に記載の養殖装置。
【請求項５】
前記フレームの底部に複数の車輪が取り付けられることを特徴とする請求項１乃至４の何れか１項に記載の養殖装置。
【請求項６】
前記飼育タンクの底部に複数の脚部が設けられ、該脚部にそれぞれ支持柱または車輪部材が環装されることを特徴とする請求項１乃至４の何れか１項に記載の養殖装置。
【請求項７】
前記飼育タンクの底部に複数の脚部が設けられ、該脚部にそれぞれ支持柱または車輪部材が環装されることを特徴とする請求項５に記載の養殖装置。
【考案の詳細な説明】
【技術分野】
【０００１】
本考案は、特に魚や海老などの水産生物の幼体を飼育する養殖装置に関するものである。
【背景技術】
【０００２】
水産生物（魚や海老など）を飼育する時は通常、稚魚を生簀に入れて餌を与えて病害の発生を押さえながら、稚魚を安全且つ速やかに成長させる方法を用いる。
【０００３】
しかしながら、成魚は稚魚を攻撃することから、稚魚が攻撃を受けて死亡するという問題があった。このことから、稚魚を飼育する時は通常、生簀に網を張って所定の飼育範囲を区画し、その外部の成魚が網目の内部に侵入することを防ぐことにより、稚魚を安全な環状で成長させるとの方法が採用されている。
【０００４】
水産生物における稚魚の成育環境は、成長した魚の健康に関係することから、飼育環境を養殖に適した状態に維持することが大切である。例えば、食べきれずに余った餌や魚の排泄物などは飼育環境の底に沈み沈殿物となることから、定期的に清掃して水を入れ替えなければ、細菌が発生して稚魚が病気にかかってしまう。
【考案の概要】
【考案が解決しようとする課題】
【０００５】
既存の生簀を掃除する時は通常、吸引装置により排泄物や沈澱物を吸引除去するが、稚魚の体積は小さいことから、吸引時に吸い込まれてしまう虞がある。
また、生簀は深さがあることから、壁面に大量のコケが付着していると、水槽の内部がはっきり見えないので、生簀の底部に沈んだ排泄物や沈澱物を綺麗に除去することができない虞がある。このような場合、成育環境を清潔に維持することができないと共に、生簀の底部に沈んだ排泄物や沈澱物により細菌が発生して稚魚が病気にかかってしまう可能性がある。
【課題を解決するための手段】
【０００６】
本考案に係る養殖装置は、作業空間を備えるフレームと、前記フレームの作業空間に設置され、その内部に飼育空間が形成され、その底部に飼育空間と連通する排出パイプが取り付けられ、該排出パイプに排出弁が取り付けられる、少なくとも１つの飼育タンクと、前記フレームに設置される上下駆動装置と、前記上下駆動装置の制御により、前記フレームの作業空間に設置され、その外径は、飼育タンクの内径よりも小さく、選択可能に飼育タンクの飼育空間内に配置される、網部材を有するものである。
【考案の効果】
【０００７】
本考案に係る養殖装置は、水生生物の仔稚魚または稚エビなどの幼体を飼育するために用いるものであり、その水生生物の幼体を飼育タンクに入れて飼育することができ、以下に示すようなメリットを有する。
１．水生生物の幼体の成育環境の監視
水生生物の幼体を飼育タンクで飼育するが、その飼育タンクは深くないことから、飼育タンクの内壁にコケが付着し難く、飼育タンクの底部に溜まった排泄物などの沈殿物をはっきりと見ることができるので、水質を判断することができる。これにより、魚やエビなどの水生生物の幼体に対して安全な成育環境を提供できると共に、飼育タンクの内部の飼育環境を監視することができることから、飼育タンクが汚れたら、すぐに清掃することができる。
２．飼育タンクの飼育空間を清掃し易い
飼育タンクの飼育空間を掃除する時は、上下駆動装置を駆動させて網部材を上昇させることによって、幼体を暫く持ち上げ、この時、飼育タンクの内部に設置したパイプから水を注入すると共に、排出パイプの排出弁を開けて排泄物などの沈殿物を排出し、水の入れ替え作業を行う。この方法によれば、幼体が排出パイプに吸い込まれる心配はないと共に、飼育タンクの内部もはっきりと見えることから、排泄物などの沈殿物を完全に除去することができるので、細菌の発生を減少させることができる。
３．さらに、水生生物の幼体は、複数の飼育タンクでそれぞれ飼育されているが、それらの飼育タンクを清掃する時は、そのフレームを底部の車輪により飼育タンクの上方に移動させれば清掃作業を行うことができる。
【図面の簡単な説明】
【０００８】
【図１】本考案の実施例の斜視図である。
【図２】本考案の実施例の他の斜視図である。
【図３】本考案の実施例において、脚部に支持柱が環装された状態を示す部分側面断面図である。
【図４】本考案の実施例において、脚部に車輪部材が環装された状態を示す部分側面断面図である。
【図５】本考案の実施例における上下駆動装置の吊り枠及び網部材の斜視図である。
【図６】本考案の実施例において、網部材を飼育タンクに配置する操作を示す部分側面断面図である。
【図７】本考案の実施例において、網部材を上昇させて幼体を持ち上げる操作を示す部分側面断面図である。
【考案を実施するための形態】
【０００９】
図１及び図２に示すように、本考案に係る養殖装置の第一実施例は、フレーム１０と、少なくとも１つの飼育タンク２０と、上下駆動装置３０と、網部材４０を有する。
【００１０】
図１乃至図３に示すように、前記フレーム１０に作業空間１１が形成されると共に、該フレーム１０は、２つの逆Ｕ字形のスタンド１２及び複数の連接棒１３を備える。そのうち２つのスタンド１２は、間隔をおいて設置され、その間に前記作業空間１１が形成され、該複数の連接棒１３はそれぞれ、間隔をおいて設置されると共に、２つのスタンド１２の間に連接され、また、該フレーム１０の底部に複数の車輪１４が取り付けられる。
【００１１】
図２乃至図４に示すように、前記飼育タンク２０は、フレーム１０の作業空間１１に設置され、その内部に飼育空間２１が形成されると共に、底部に飼育空間２１と連通する排出パイプ２２が取り付けられ、該排出パイプ２２に排出弁２３が取り付けられる。また、前記飼育タンク２０の底部に複数の脚部２４が設けられ、該脚部２４にはそれぞれ支持柱２５が環装されてもよく（図３）、該脚部２４にはそれぞれ車輪部材２６が環装されてもよい（図４）。
【００１２】
図１乃至図３に示すように、前記上下駆動装置３０はフレーム１０に設置され、ワイヤロープを巻き取るための、ウインチ付きのモータ３１と、滑車組み３２と、ワイヤロープ３３と、吊り枠３４を備える。該モータ３１は、フレーム１０の一側に設置され、該滑車組み３２は、少なくとも１つの滑車３２１を備え、該滑車３２１は、フレーム１０の連接棒１３に取り付けられ、該ワイヤロープ３３は、一端がモータ３１のウインチに巻回され、他端が滑車３２１に巻回されてフレーム１０の中央にある連接棒１３の下方に固定され、該吊り枠３４にワイヤロープ３３の他端が掛止される。
図４に示すように、前記吊り枠３４はさらに、枠部３４１及び２つのアーム３４２を備え、該２つのアーム３４２は、枠部３４１の両側に枢設され、該各アーム３４２の底端にフック３４３が設けられる。
【００１３】
図１乃至図３に示すように、前記網部材４０は、上下駆動装置３０により制御可能に、フレーム１０の作業空間１１に設置され、その外径は、飼育タンク２０の内径よりも小さく、選択可能に飼育タンク２０の飼育空間２１内に配置される。
図５に示すように、前記網部材４０は、吊り枠３４の底部に張設され、該網部材４０の外周縁における、フック３４３と対応する箇所にそれぞれ、フック３４３が掛合される掛けリング４１が設けられる。
【００１４】
図６示すように、本考案に係る養殖装置は、水生生物の仔稚魚または稚エビなどの幼体５０を飼育するために用いるものであり、水生生物の幼体５０を飼育タンク２０の飼育空間２１に入れて飼育することができる。また、水生生物の幼体５０を飼育する時は、排出パイプ２２の排出弁２３が閉じている状態である。
【００１５】
本実施例においては、養殖装置に設けられる飼育タンク２０が１つでもよく、該飼育タンク２０及びフレーム１０が所定の位置に固定される。すなわち、前記飼育タンク２０がフレーム１０の作業空間１１に配置される。
また、他の実施例においては、複数の飼育タンク２０を有すると共に、１つのフレーム１０を移動可能にそのうちの１つの飼育タンク２０と対応するように設置してもよく、更に他の実施例においては、複数の飼育タンク２０を有すると共に、１つのフレーム１０を所定の位置に固定し、それらの飼育タンク２０をフレーム１０の作業空間１１と対応する位置まで移動できるようにしてもよい。
【００１６】
このように、本考案に係る養殖装置は、飼育タンク２０を有することから、その水生生物の幼体５０に対して安全な成育環境を提供できると共に、餌を飼育タンク２０に投入するだけでそれらの幼体５０を飼育することができる。
【００１７】
図６及び図７に示すように、その飼育タンク２０を清掃する場合は、まず、上下駆動装置３０のモータ３１を駆動させてウインチを回転させ、ワイヤロープ３３をゆっくり緩め、吊り枠３４及び網部材４０を下降させて飼育タンク２０の飼育空間２１内に配置する。
このように、網部材４０を飼育タンク２０の飼育空間２１内に入れると、それらの幼体５０は、上方から降下してくる網部材４０を避けるように飼育空間２１の周囲に自ら移動して、網部材４０と飼育タンク２０との隙間を通り、網部材４０が飼育空間２１の底部まで下降した時、それらの幼体５０居場所は網部材４０の上方となる。
【００１８】
その後、図７に示すように、上下駆動装置３０のモータ３１を駆動させてウインチを逆方向に回転させ、ワイヤロープ３３をゆっくり巻き取り、吊り枠３４及びそれらの幼体５０と共に網部材４０を飼育タンク２０の飼育空間２１内から引き上げる。そして、飼育タンク２０の内部にホースを設置して外部からの水を注入しながら、排出パイプ２２の排出弁２３を開けて排泄物などの沈殿物を排出して水の入れ替え作業を行う。
【００１９】
また、この飼育タンク２０は、深さがそれほどなく、飼育タンク２０の内壁にコケが付着し難いことから、飼育タンク２０の内部をはっきりと観察して水質のレベルを判断できると共に、排泄物などの沈殿物の量も見るだけでチェックできるので、飼育タンク２０の内部の成育環境を監視し易い。
【００２０】
このように、本考案に係る養殖装置によれば、上下駆動装置３０で網部材４０を駆動して下降または上昇させ、それらの幼体５０を暫く上方に上げることにより、飼育タンク２０の内部を清掃することができる。
この構成によれば、幼体５０が排出パイプ２２に吸い込まれることがないと共に、飼育タンク２０内の排泄物などの沈殿物もはっきりと見えるので、しっかりと掃除することができる。
【００２１】
また、その網部材４０を吊り枠３４から取り外すことができると共に、吊り枠３４もワイヤロープ３３から取り外して折り畳んで収納することができる。
【００２２】
また、図４に示すように、幼体５０を入れていない飼育タンク２０を搬送する場合には、脚部２４に車輪部材２６を嵌め込めば、移動しやすくなることから、簡単に所望の位置まで搬送することができる。搬送後は、車輪部材２６を取り外し、図３に示すように、脚部２４に支持柱２５を嵌め込めば、飼育タンク２０を位置決めることができる。
【００２３】
本考案に係る養殖装置によれば、飼育タンク２０を用いることにより、魚やエビなどの水生生物の幼体５０を安全な成育環境で育てることができると共に、上下駆動装置３０で網部材４０を下降または上昇させ、幼体５０を暫く持ち上げることにより、飼育タンク２０の内部を清掃することができる。この時、飼育タンク２０内がはっきりと見えることから、排泄物などの沈殿物を完全に除去することができるので、細菌の発生を抑えることができる。
【符号の説明】
【００２４】
１０    フレーム
１１    作業空間
１２    スタンド
１３    連接棒
１４    車輪
２０    飼育タンク
２１    飼育空間
２２    排出パイプ
２３    排出弁
２４    脚部
２５    支持柱
２６    車輪部材
３０    上下駆動装置
３１    モータ
３２    滑車組み
３２１  滑車
３３    ワイヤロープ
３４    吊り枠
３４１  枠部
３４２  アーム
３４３  フック
４０    網部材
４１    掛けリング
５０    幼体
【図１】
0003211347.tif 000003
【図２】
0003211347.tif 000004
【図３】
0003211347.tif 000005
【図４】
0003211347.tif 000006
【図５】
0003211347.tif 000007
【図６】
0003211347.tif 000008
【図７】
0003211347.tif 000009